(57)【要約】【課題】吊り車型ランナ装置により開閉自在に吊持される吊戸において、部品点数を最小化して構造を簡素化するとともに、一人でも吊戸の建込み作業が行えるように作業負担の軽減を図る。【解決手段】ランナ取付金具６の吊戸側当接面に掛止片１０を形成するとともに、前記吊戸２の縦框８に前記掛止片１０に対応する掛止孔８ａを形成しておき、前記吊り車型ランナ装置４を走行レール３に沿って移動可能な状態に設置したならば、吊戸２を持ち込み、前記吊戸２の縦框８に形成された掛止孔８ａを前記ランナ取付金具６に形成された掛止片１０に掛止させることにより吊戸２を吊持させ、次いで前記ランナ取付金具６のビス取付孔６ｂより吊戸２に固定ビス１３を螺入させて、前記吊戸２を吊り車型ランナ装置４に固定する。【選択図】  図１
2004232270.tif 000002
【特許請求の範囲】
【請求項１】
ローラを備え走行レールに沿って移動自在に案内されるランナ本体と、このランナ本体と連結されるとともに、吊戸との固定のためにビス取付孔を有するランナ取付金具とから構成される吊り車型ランナ装置によって開閉自在に吊持される吊戸の取付け構造であって、
前記ランナ取付金具の吊戸側当接面に掛止片又は掛止孔を形成するとともに、前記吊戸の縦框に前記掛止片又は掛止孔に対応する掛止孔又は掛止片を形成しておき、
前記吊り車型ランナ装置を走行レールに沿って移動可能な状態に設置したならば、吊戸を持ち込み、前記吊戸の縦框に形成された掛止孔又は掛止片を前記ランナ取付金具に形成された掛止片又は掛止孔に掛止させることにより吊戸を吊持させ、次いで前記ランナ取付金具のビス取付孔より吊戸に固定ビスを螺入させて、前記吊戸を吊り車型ランナ装置に固定することを特徴とする吊戸の取付け構造。
【請求項２】
前記ランナ取付金具と吊戸とを固定する掛止片及び掛止孔は１又は複数組み設けられている請求項１記載の吊戸の取付け構造。
【請求項３】
前記吊り車型ランナ装置は、前記ランナ本体とランナ取付金具とが連結軸により連結されるとともに、この連結軸を軸芯回りに回転させることにより、ネジ作用によって吊戸の上下方向調整が成されるようになっている請求項１、２いずれかに記載の吊戸の取付け構造。
【請求項４】
前記吊戸の縦框外面側に、部材長手方向に沿って戸閉止時の緩衝材を配設してある請求項１〜３いずれかに記載の吊戸の取付け構造。
【発明の詳細な説明】
【０００１】
【発明の属する技術分野】
本発明は、走行レールに沿って走行自在に案内される吊り車型ランナ装置により開閉自在に吊持される吊戸の取付け構造に関する。
【０００２】
【従来の技術】
従来、ローラを備え走行レールに沿って移動自在に案内される吊り車型ランナ（以下、単にランナという。）により吊持される吊戸を建て込む際には、前記ランナを吊戸に予め取り付けた後、前記吊戸を垂直な姿勢に保ちつつ持ち上げて、前記ランナのローラを走行レール内に挿入するようにしていた。しかし、前記ランナをかかる状態に設置するには、重い吊戸を持ち上げながら前記ローラの向きを調整した上で、レール内に挿入しなければならず、一人では作業が非常に困難であった。
【０００３】
そこで、吊戸の作業負担の軽減を図るべく下記特許文献１においては、図６に示されるように、ローラ５３を備えたランナ装置５０の下側に取付用ブロック５１を設ける一方、吊戸５４の上框に前記取付用ブロック５１を横方向から挿入可能な断面溝型形状の取付け用枠体５２を固定しておき、前記ローラ５３を走行レール（図示せず）に挿入設置したならば、吊戸５４を持上げて前記取付け用枠体５２内に取付用ブロック５１を挿入して吊戸５４を吊持し、次いで、取付け用枠体５２の両側からカバー材５５を嵌め入れることにより前記取付用ブロック５１を位置決めした状態で抜止め保持するようにした吊戸の取付け構造が開示されている。
【０００４】
【特許文献１】
特開２０００−１６０９１８号公報
【０００５】
【発明が解決しようとする課題】
しかしながら、前述した吊戸の取付け構造の場合には、構造が複雑であるとともに、部品点数が多くなるなどの問題があった。また、吊戸５４の上縁と、走行レールとの間に大きな間隙が生じてしまい、隣室に光が漏れる、隙間風を封止できないとともに、見栄えが悪いなどの問題があった。
【０００６】
そこで本発明の主たる課題は、吊り車型ランナ装置により開閉自在に吊持される吊戸において、部品点数を最小化して構造を簡素化するとともに、一人でも吊戸の建込み作業ができるように作業負担の軽減を図ることにある。また、吊戸上縁と走行レールとの間に大きな間隙を生じさせない吊戸の取付け構造とすることにある。
【０００７】
【課題を解決するための手段】
前記課題を解決するための請求項１に係る発明として、ローラを備え走行レールに沿って移動自在に案内されるランナ本体と、このランナ本体と連結されるとともに、吊戸との固定のためにビス取付孔を有するランナ取付金具とから構成される吊り車型ランナ装置によって開閉自在に吊持される吊戸の取付け構造であって、
前記ランナ取付金具の吊戸側当接面に掛止片又は掛止孔を形成するとともに、前記吊戸の縦框に前記掛止片又は掛止孔に対応する掛止孔又は掛止片を形成しておき、
前記吊り車型ランナ装置を走行レールに沿って移動可能な状態に設置したならば、吊戸を持ち込み、前記吊戸の縦框に形成された掛止孔又は掛止片を前記ランナ取付金具に形成された掛止片又は掛止孔に掛止させることにより吊戸を吊持させ、次いで前記ランナ取付金具のビス取付孔より吊戸に固定ビスを螺入させて、前記吊戸を吊り車型ランナ装置に固定することを特徴とする吊戸の取付け構造が提供される。
【０００８】
上記請求項１記載の発明においては、ランナ取付金具の吊戸側当接面に吊戸との掛止片又は掛止孔を形成するとともに、前記吊戸の縦框に前記ランナ取付金具の掛止片又は掛止孔に対応する掛止孔又は掛止片を形成しておき、先ず最初にランナ装置を単独で走行レールに走行可能な状態に設置したならば、吊戸を前記ランナ取付金具に引っ掛けるようにして吊持させ、この吊り状態のまま固定ビスを螺入することにより吊戸の固定を成すようにした。
【０００９】
従って、特に余計な部品を必要とすることなく、ランナ装置と吊戸との固定を成すことができるようになる。また、吊戸の建込みはランナ取付金具に引っ掛けて吊持させるため、一人でも容易に作業が行えるようになる。さらに、吊戸の縦框にランナ取付金具を固定するようにしたため、吊戸上縁と走行レールとの間に大きな間隙を生じさせることも無くなる。
【００１０】
請求項２に係る本発明として、前記ランナ取付金具と吊戸とを固定する掛止片及び掛止孔は１又は複数組み設けられている請求項１記載の吊戸の取付け構造が提供される。ランナ取付金具及び吊戸縦框に設けられる掛止片及び掛止孔の組数は１又は複数とすることができる。
【００１１】
請求項３に係る本発明として、前記吊り車型ランナ装置は、前記ランナ本体とランナ取付金具とが連結軸により連結されるとともに、この連結軸を軸芯回りに回転させることにより、ネジ作用によって吊戸の上下方向調整が成されるようになっている請求項１、２いずれかに記載の吊戸の取付け構造が提供される。例えば、吊戸の上下方向位置調整はランナ本体とランナ取付金具とを連結する連結軸に持たせることができる。
【００１２】
請求項４に係る本発明として、前記吊戸の縦框外面側に、部材長手方向に沿って戸閉止時の緩衝材を配設してある請求項１〜３いずれかに記載の吊戸の取付け構造が提供される。
【００１３】
上記請求項４記載の発明によれば、前記縦框の外面に緩衝材を設けるようにしたため、吊戸を閉止した際の衝撃を和らげ、吊戸や縦框が傷むのを防止したり、閉止音を抑制することができる。
【００１４】
【発明の実施の形態】
以下、本発明の実施の形態について図面を参照しながら詳述する。
図１は、本発明に係る吊戸の取付け構造の側面図であり、図２はそのＩＩ−ＩＩ線矢視図、図３は図１のＩＩＩ−ＩＩＩ線矢視図である。
【００１５】
吊戸構造は、取付け枠の無目に走行レール３を取り付け、この走行レール３に沿って走行自在に案内される吊り車型ランナ装置４（以下、単にランナ装置という。）により吊戸（引戸）２が開閉自在に吊持された構造のものである。
【００１６】
前記ランナ装置４は、側部に計４つのローラ７，７…を備えたランナ本体５と、前記吊戸２の縦框８に固定されるランナ取付金具６と、前記ランナ本体５とランナ取付金具６とを連結する連結軸１６とから構成されている。
【００１７】
前記ランナ本体５は、図１及び図２に示されるように、上面に凹部５ａが形成されるとともに、この凹部５ａの底面から下面側に貫通する通孔５ｂが形成されている。一方、前記連結軸１６は上端部にネジ径よりも大径の頭部１６ａを有するとともに、軸部１６ｂの外面にネジが形成された軸部材であり、前記ランナ本体５の凹部５ａに頭部１６ａを係合させるとともに、軸部１６ｂを前記ランナ本体５の通孔５ｂを通して下方側に垂下させた状態で設置される。
【００１８】
前記ランナ取付金具６は、詳細には図４に示されるように、略立方体形状の部材であって、上面中央に部材長手方向に沿って前記連結軸１６が螺入される連結軸取付用雌ネジ孔６ａが形成され、この連結軸取付用雌ネジ孔６ａに連結軸１６を螺入させて前記ランナ本体５と連結を図るようになっている。なお、前記連結軸取付用雌ネジ孔６ａは下半部側のみにネジ部が形成されているが全長に亘って雌ネジが形成されていてもよい。従って、吊戸２の取付け前は前記ランナ取付金具６を回転させることにより、また吊戸２の建込み後は前記連結軸１６を軸芯回りに回転させることにより、ランナ取付金具６が上下方向に移動され、吊戸２の上下方向位置が調整されるようになっている。
【００１９】
前記ランナ取付金具６には、吊戸２への当接面側となる側面の上部位置に、フック状の前記吊戸２に対する掛止片１０が突出して形成されるとともに、下部位置には部材を水平方向に貫通して、固定ビス取付孔６ｂが形成されている。なお、符号６ｃの円弧状凹部は、吊戸縦框８と上框９とを連結する固定ビス１２Ａの頭部が邪魔にならないようにするためのものであり、下端側に設けられた矩形状の貫通孔６ｄは連結軸１６の螺入量を目視確認するための孔である。
【００２０】
一方、吊戸２は、両側部に縦框８、８を備えるとともに、上部に上框９を、下部に下框（図示せず）をそれぞれ備える戸部材である。前記縦框８は、図３に示されるように、戸板を保持する断面コ字状部８ｆを構成する背面壁８ｊの裏面側に部材長手方向に沿って、所定の間隔をおいて左右一対の側壁８ｇ，８ｈが形成され、この側壁８ｇ、８ｈによって挟まれた空間が前記ランナ取付金具６の設置箇所となっている。
【００２１】
一方、前記上框９には、図２に示されるように、上下方向に３段のビスポケット９ａ〜９ｃが形成され、前記縦框８の背面壁８ｊには前記ビスポケット９ａ〜９ｃ対応位置にビス通孔８ｂ〜８ｄが形成されている。前記縦框８と上框９との連結に当たっては、前記ビスポケット９ａ、９ｃと、ビス通孔８ｂ、８ｄが使用される。すなわち、縦框８と上框９とを接合した状態で、ビス通孔８ｂ、８ｄから固定ビス１２Ａ、１２Ｂをビスポケット９ａ、９ｃにそれぞれ螺入することにより両者が連結されている。なお、固定ビス１２Ａ、１２Ｂ及び後述のランナ固定ビス１３を取り付けるために、前記左右一対の側壁８ｇ，８ｈを連結する隔壁８ｉの上部側は切り欠かれている。
【００２２】
また、前記ランナ取付金具６の固定は、前記縦框８の背面壁８ｊの上部に掛止孔８ａが形成されており、ランナ取付金具６に形成された前記掛止片１０を前記掛止孔８ａに掛止させるとともに、固定ビス取付孔６ｂ、ビス通孔８ｃを貫通して上框９に形成されたビスポケット９ｂに螺入された固定ビス１３によって吊戸２と固定されるようになっている。なお、本例では固定ビス１３を上框９のビスポケット９ｂに螺入させたが、縦框８の壁面部分にビス止めするようにしてもよい。
【００２３】
ところで、前記吊戸２の取付けに際しては、図５に示されるように、先ず前記ランナ装置４を単独で走行レール３に沿って移動可能な状態に設置した後、前記縦框８の掛止孔８ａに前記ランナ取付金具６の掛止片１０を挿入して吊戸２を吊持させたならば、前記ランナ取付金具６のビス取付孔６ｂより固定ビス１３を上框９のビスポケット９ｂに螺入し、前記吊戸２をランナ装置４に固定するようにする。その後は、図３に示されるように、側壁８ｇ，８ｈの端部に形成された係止爪８ｅ、８ｅを利用して、ＡＢＳ樹脂等の合成樹脂からなる緩衝材１１を嵌め込んで、戸閉止時の衝撃を緩和するようにするとともに、図１に示されるように、ランナ取付金具６の取付け部位を閉鎖するように、縦框８の上部側空間内に縦框上部キャップ１１を嵌設し吊戸２の建込みを完了する。
【００２４】
（他の実施形態例）
（１）上記形態例では、吊戸形式は上吊り引戸であるが、上吊り折戸に対しても同様に適用することが可能である。
【００２５】
（２）上記形態例では、ランナ取付金具６側に掛止片１０を形成し、縦框８側に掛止孔８ａを形成するようにしたが、この関係は逆であってもよい。すなわち、ランナ取付金具６側に掛止孔を形成し、縦框８側に掛止片を形成するようにしてもよい。
【００２６】
【発明の効果】
以上詳説のとおり本発明によれば、吊り車型ランナ装置により開閉自在に吊持される吊戸において、部品点数を最小化して構造を簡素化できるとともに、一人でも吊戸の建込み作業ができるようになり作業負担が大幅に軽減されるようになる。また、吊戸上縁と走行レールとの間に大きな間隙を生じさせない構造にできる。
【図面の簡単な説明】
【図１】本発明に係る吊戸２の取付け構造を示す側面図である。
【図２】そのＩＩ−ＩＩ線矢視図である。
【図３】図１のＩＩＩ−ＩＩＩ線矢視図である。
【図４】ランナ取付金具６の（Ａ）は側面図、（Ｂ）は正面図、（Ｃ）は平面図である。
【図５】吊戸２の建込み要領を示す斜視図である。
【図６】従来の吊り車型ランナ装置５０の斜視図である。
【符号の説明】
２…吊戸、３…走行レール、４…吊り車型ランナ装置、５…ランナ本体、６…ランナ取付金具、６ｂ…固定ビス取付孔、７…ローラ、８…縦框、８ａ…掛止孔、９…上框、１０…掛止片、１３…固定ビス、１６…連結軸
【図１】
2004232270.tif 000003
【図２】
2004232270.tif 000004
【図３】
2004232270.tif 000005
【図４】
2004232270.tif 000006
【図５】
2004232270.tif 000007
【図６】
2004232270.tif 000008